(57)【要約】【課題】撮像部と表示部の配置において、双方の電磁波干渉を防ぎつつも小型・高密度化を実現する。【解決手段】回路基板３３にレンズ駆動デバイス（ＡＦモータ）２０７を備える撮像デバイス（カメラモジュール）３２と表示デバイス（メイン表示部）２０２、（サブ表示部）２０３及び表示駆動デバイス（液晶ドライバ）３３１・３３２・３３３を搭載する。そして、表示デバイス２０２、２０３を基準として一方に表示駆動デバイス３３１・３３２・３３３を、他方に撮像デバイス３２を配置する。これにより、表示駆動デバイス３３１・３３２・３３３と撮像デバイス３２のレンズ駆動デバイス２０７とが表示デバイス２０２、２０３を挟んだ遠い位置となって、双方の駆動デバイスが発生する電子波干渉を効果的に回避できる。そして、電磁シールド部材を用いないので、筐体を薄く・軽量にできる。【選択図】図５
2005136877.tif 000002
【特許請求の範囲】
【請求項１】
レンズを駆動させるためのレンズ駆動デバイスを備えた撮像デバイスと、表示デバイスと、この表示デバイスを駆動するための表示駆動デバイスとを備え、
前記表示デバイスを基準として、一方に前記撮像デバイスを、他方に前記表示駆動デバイスを配置したことを特徴とするデバイスの配置構造。
【請求項２】
レンズを駆動させるためのレンズ駆動デバイスを備えた撮像デバイスを搭載した第１の回路基板と、表示デバイスと、この表示デバイスを駆動するための表示駆動デバイスを搭載した第２の回路基板からなる配置構造であって
前記表示デバイスを基準として、一方に前記第１の回路基板を、他方に前記第２の回路基板を配置したことを特徴とする配置構造。
【請求項３】
前記第２の回路基板は、前記表示デバイスを配置するための開口部を有することを特徴とする請求項１に記載の配置構造。
【請求項４】
前記第１の回路基板は、フラッシュ用の発光部材が搭載されていることを特徴とする請求項２または３に記載の配置構造。
【請求項５】
本体部に無線通信デバイスを配置し、蓋部にレンズ駆動デバイスを備える撮像デバイス及び表示デバイスを配置した携帯通信機器において、
前記蓋部内に前記表示デバイスを基準として、一方にこの表示デバイスを駆動するための表示駆動デバイスを配置し、他方に前記撮像デバイスを配置したことを特徴とする携帯通信機器。
【請求項６】
本体部に無線通信デバイスを配置して、蓋部に撮像デバイス及び表示デバイスを配置した携帯通信機器において、
前記撮像デバイス及びレンズ駆動デバイスを搭載した第１の回路基板と、前記表示デバイスを駆動させるための表示駆動デバイスを搭載した第２の回路基板とを前記蓋部内に備え、
前記表示デバイスを基準として一方に前記第２の回路基板を配置し、他方に前記第１の回路基板を配置したことを特徴とする携帯通信機器。
【発明の詳細な説明】
【技術分野】
【０００１】
本発明は、撮像デバイス及び表示デバイスを備える携帯通信機器等の電子機器における、撮像デバイスと表示デバイスの配置構造に関する。
【背景技術】
【０００２】
近年、撮像部を備えた携帯電話機に代表される携帯通信機器が普及している。
このような撮像部を備えた携帯通信機器においては、従来より、デジタルカメラ相当の高解像度を具備した液晶ディスプレイと同じ筐体部分に撮像デバイスを配置し、ユーザーの使い勝手を向上させている。
また、液晶ディスプレイと撮像デバイスの双方から発生する、空間を伝播する電子波ノイズの回路基板への影響を軽減させるために、電磁シールド部材を介在させる技術もある（例えば特許文献１参照）。
【特許文献１】特開２００１−３２０６２２号公報（図３）
【発明の開示】
【発明が解決しようとする課題】
【０００３】
しかしながら、このような構造を採用した場合、特に蓋部と本体部との折り畳み構造を有する携帯電話機の蓋部に表示デバイスと撮像デバイスとを配置した場合、蓋部全体が厚く、また重くなってしまい、本体部とのバランスが悪くなってしまう。
【０００４】
本発明の課題は、撮像部と表示部の配置において、双方の電磁波干渉を防ぎつつも小型・高密度化を実現することである。
【課題を解決するための手段】
【０００５】
以上の課題を解決するため、請求項１に記載の発明は、例えば図５に示すように、レンズを駆動させるためのレンズ駆動デバイス（ＡＦモータ）２０７を備えた撮像デバイス（カメラモジュール）３２と、表示デバイス（メイン表示部）２０２、（サブ表示部）２０３と、この表示デバイスを駆動するための表示駆動デバイス（液晶ドライバ）３３１、３３２、３３３とを備え、前記表示デバイス２０２、２０３を基準として、一方に前記撮像デバイス３２を、他方に前記表示駆動デバイス３３１、３３２、３３３を配置したことを特徴とする
【０００６】
請求項５に記載の発明は、例えば図１から図３及び図５に示すように、本体部１に無線通信デバイス（メイン回路基板）１６、（アンテナ）１０１を配置し、蓋部２にレンズ駆動デバイス（ＡＦモータ）２０７を備える撮像デバイス（カメラモジュール）３２及び表示デバイス（メイン表示部）２０２、（サブ表示部）２０３を配置した携帯通信機器において、前記蓋部２内に前記表示デバイス２０２、２０３を基準として、一方にこの表示デバイスを駆動するための表示駆動デバイス（液晶ドライバ）３３１、３３２、３３３を配置し、他方に前記撮像デバイス３２を配置したことを特徴とする。
【０００７】
請求項１または５に記載の発明によれば、回路基板に搭載した表示デバイスを基準として一方に表示駆動デバイスを、他方に撮像デバイスを配置したので、表示駆動デバイスと撮像デバイスのレンズ駆動デバイスとが表示デバイスを挟んだ遠い位置となって、双方の駆動デバイスが発生する電子波干渉を効果的に回避できる。
そして、電磁シールド部材を用いないので、筐体を薄く軽量にできる。
【０００８】
請求項２に記載の発明は、例えば図５から図８に示すように、レンズを駆動させるためのレンズ駆動デバイス（ＡＦモータ）２０７を備えた撮像デバイス（カメラモジュール）３２を搭載した第１の回路基板（レンズ等回路基板）３２２と、表示デバイス（メイン表示部）２０２、（サブ表示部）２０３と、この表示デバイスを駆動するための表示駆動デバイス（液晶ドライバ）３３１、３３２、３３３を搭載した第２の回路基板（サブ回路基板）３３からなる配置構造であって、前記表示デバイス２０２、２０３を基準として、一方に前記第１の回路基板３２２を、他方に前記第２の回路基板３３を配置したことを特徴とする。
【０００９】
請求項６に記載の発明は、例えば図１から図３、及び、図５から図８に示すように、本体部１に無線通信デバイス（メイン回路基板）１６、（アンテナ）１０１を配置して、蓋部２に撮像デバイス（カメラモジュール）３２及び表示デバイス（メイン表示部）２０２、（サブ表示部）２０３を配置した携帯通信機器において、前記撮像デバイス３２及びレンズ駆動デバイス（ＡＦモータ）２０７を搭載した第１の回路基板（レンズ等回路基板）３２２と、前記表示デバイス２０２、２０３を駆動させるための表示駆動デバイス（液晶ドライバ）３３１、３３２、３３３を搭載した第２の回路基板（サブ回路基板）３３とを前記蓋部２内に備え、前記表示デバイス２０２、２０３を基準として一方に前記第２の回路基板３３を配置し、他方に前記第１の回路基板３２２を配置したことを特徴とする。
【００１０】
請求項２または６に記載の発明によれば、表示デバイスを基準として一方に表示駆動デバイスを搭載した第２の回路基板を、他方に撮像デバイス及びレンズ駆動デバイスを搭載した第１の回路基板を配置したので、表示駆動デバイスとレンズ駆動デバイスとが表示デバイスを挟んだ遠い位置となって、双方の駆動デバイスが発生する電子波干渉を効果的に回避できる。
そして、電磁シールド部材を用いないので、筐体を薄く、軽量にできる。
【００１１】
請求項３に記載の発明は、請求項２に記載の配置構造であって、例えば図７及び図８に示すように、前記第２の回路基板３３は、前記表示デバイス２０２、２０３を配置するための開口部３３７を有することを特徴とする。
【００１２】
請求項４に記載の発明は、請求項２または３に記載の配置構造であって、例えば図７及び図８に示すように、前記第１の回路基板３２２には、フラッシュ用の発光部材（ＬＥＤ）２０７が搭載されていることを特徴とする。
【発明の効果】
【００１３】
本発明によれば、表示駆動デバイスと撮像デバイスのレンズ駆動デバイスとを表示デバイスを挟んだ遠い位置に配置して、双方の駆動デバイスが発生する電子波干渉を効果的に回避でき、筐体を薄く軽量にして小型・高密度化を達成できる。
【発明を実施するための最良の形態】
【００１４】
以下、図を参照して本発明を実施するための最良の形態を詳細に説明する。
本発明を適用した携帯通信機器の一実施形態として折り畳み式携帯電話機を示した図１（（ａ）は、開いた状態の正面図、（ｂ）は同状態の背面図）において、１は本体部、２は蓋部である。
本体部１は、アンテナ１０１、カメラキー１０２、メールキー１０３、十字キー１０４、決定キー１０５、アドレス帳キー１０６、ネット接続キー１０７、クリアキー１０８、オンフックキー１０９、オフフックキー１１１、テンキー１１２、マイク１１３、カードスロットカバー１１４、報知用スピーカ放音部１１５、電池パック１１６、充電用端子１１７、ＵＳＢ端子１１８、コネクタカバー１１９等を備える。
蓋部２は、スピーカ２０１、メイン表示部２０２、サブ表示部２０３、報知用ＬＥＤ２０４、撮像レンズ２０５、フラッシュ用ＬＥＤ２０６等を備える。
【００１５】
本体部１は、図２及び図３に示すように、下ケース１１、中ケース１２、上ケース１３、ヒンジピース１４・１５、メイン回路基板１６、キーフィルム基板１７、キーパッド１８、キートッププレート１９等から構成されている。図中、１２５は報知用スピーカ、１２６は電池蓋、１３１はミニメモリカード、１３２は外部メモリシールドケースである。
蓋部２は、図４に示すように、下ケース２１、中ケース２２、上ケース２３、ヒンジピース２４、化粧パネル２６、レシーバーカバー２７、ロゴプレート２８等から構成されている。図中、３０は中ケースアッシー、２１０はケースビス、２１２はメインディスプレイパネル、２１３はサブディスプレイパネル、２１５はレンズカバー、２１６はＬＥＤカバー、２２０・２３０・２４０はクッション、２２５はレンズパネル、２３２・２３３・２３５・２３６・２７１・２８１は両面テープである。
【００１６】
中ケースアッシー３０は、図５及び図６に拡大して示すように、中ケース２２にサブ表示部２０３、シールドケース３１、カメラモジュール３２及びサブ回路基板３３等を組み込んだものである。
即ち、シールドケース３１には、前記メイン表示部２０２の液晶表示基板（図略）とサブ表示部２０３の液晶表示基板３１１とが背中合わせにして組み込まれている。このシールドケース３１を中ケース２２内に収納固定して、メイン表示部２０２とサブ表示部２０３を中ケース２２の表裏面にそれぞれ露出させている。
そして、中ケース２２のサブ表示部２０３を基準として長手方向の一端側にカメラモジュール収納部２２１が形成されて、他端側には図略の着信報知用ＬＥＤユニットの収納用開口部２２２が形成されている。
【００１７】
カメラモジュール３２は、撮像レンズ２０５、フラッシュ用ＬＥＤ２０６、ステップモータによるＡＦ（オートフォーカス）モータ２０７を組み込んだユニットケース３２１をレンズ等回路基板３２２に取付固定したものである。レンズ等回路基板３２２には、図７にも示すように、電子部品が搭載されるとともに、ヒートシール３２３・３２４・３２５が設けられている。
サブ回路基板３３は、中ケース２２に対しシールドケース３１と反対側の面に取付固定されて開口部３３７にサブ表示部２０３を配置し、開口部３３８にカメラモジュール３２を配置する形状をなす。このサブ回路基板３３には、図示のように、電子部品が搭載されており、具体的には、液晶ドライバ３３１・３３２・３３３とカメラ制御部品３３４・３３５等が搭載されている。ここで、液晶ドライバ３３１・３３２・３３３とカメラ制御部品３３４・３３５は、サブ表示部２０３を挟んで対向する配置構造となっている。なお、カメラ制御部品３３４・３３５を含むカメラ制御回路３３６が構成されている
【００１８】
以上のサブ回路基板３３に対し、図７のようにヒートシール３２３・３２５を接続する等してカメラモジュール３２が、図８に示したように開口部３３８に配置するように組み付けられる。
こうしてカメラモジュール３２を組み付けたサブ回路基板３３は、図６のように中ケース２２に対しシールドケース３１と反対側の面に取付固定されて、図５に示したように中ケースアッシー３０が構成される。図示のように、液晶ドライバ３３１・３３２・３３３には、液晶表示基板３１１等から延びるヒートシール３１２・３１３が接続されている。
そして、中ケースアッシー３０を、図４に示したように、下ケース２１と上ケース２３との間に挟んでケースビス２１０により固定し、下ケース２１の表面に化粧パネル２６を装着する。
【００１９】
以上の通り、実施形態では、折り畳み式携帯電話機の蓋部２において、サブ回路基板３３に搭載したメイン表示部２０２、サブ表示部２０３を基準として、一方に液晶ドライバ３３１・３３２・３３３を配置し、他方にＡＦモータ（ステップモータ）２０７を備えたカメラモジュール３２を搭載したレンズ等回路基板３２２を配置した構造となっている。
これにより、液晶ドライバ３３１・３３２・３３３と撮像レンズ２０５のＡＦモータ２０７とがサブ表示部２０３を挟んだ遠い位置となって、液晶ドライバ３３１・３３２・３３３とＡＦモータ２０７がそれぞれ発生する電子波干渉を効果的に回避できる。
しかも、液晶ドライバ３３１・３３２・３３３とＡＦモータ２０７の電子波干渉対策のために電磁シールド部材を用いなくて良いので、蓋部２を薄く・軽量にできる。
従って、蓋部２を構成する筐体の小型・高密度実装化を実現できる。
【００２０】
なお、以上の実施形態においては、折り畳み式携帯電話機としたが、本発明はこれに限定されるものではなく、他の携帯通信機器であっても良い。
また、その他、具体的な細部構造等についても適宜に変更可能であることは勿論である。
【図面の簡単な説明】
【００２１】
【図１】本発明を適用した携帯通信機器の一実施形態の構成を示すもので、折り畳み式携帯電話機を開いた状態を示す正面図（ａ）、背面図（ｂ）である。
【図２】図１の折り畳み式携帯電話機の本体部を構成する上ケース、中ケース及びメイン基板等を示した分解斜視図である。
【図３】図１の折り畳み式携帯電話機の本体部を構成する下ケース及びヒンジケース等を示した分解斜視図である。
【図４】図１の折り畳み式携帯電話機の蓋部を構成する上ケース、中ケース、下ケース及び化粧パネル等を示した分解斜視図である。
【図５】図４の中ケースアッシーを示した拡大斜視図である。
【図６】図５の中ケースアッシーの分解斜視図である。
【図７】図６のカメラモジュールと基板の接続の仕方を示した平面図である。
【図８】図７のカメラモジュールを基板上に実装した状態を示した斜視図である。
【符号の説明】
【００２２】
１  本体部
２  蓋部
２０２  メイン表示部（表示デバイス）
２０３  サブ表示部（表示デバイス）
２０５  撮像レンズ
２０６  フラッシュ用ＬＥＤ（発光部材）
２０７  ＡＦモータ（ステップモータ、レンズ駆動デバイス）
２１  下ケース
２２  中ケース
２２１  カメラモジュール収納部
２３  上ケース
３０  中ケースアッシー
３１  シールドケース
３１１  液晶表示基板
３２  カメラモジュール（撮像デバイス）
３２１  ユニットケース
３２２  レンズ等回路基板（第１の回路基板）
３２３・３２４・３２５  ヒートシール
３３  サブ回路基板（第２の回路基板）
３３１・３３２・３３３  液晶ドライバ（表示駆動デバイス）
３３４・３３５  カメラ制御部品
３３６  カメラ制御回路
３３７  開口部
３３８  開口部
【図１】
2005136877.tif 000003
【図２】
2005136877.tif 000004
【図３】
2005136877.tif 000005
【図４】
2005136877.tif 000006
【図５】
2005136877.tif 000007
【図６】
2005136877.tif 000008
【図７】
2005136877.tif 000009
【図８】
2005136877.tif 000010